(57)【要約】【課題】ホームサーバに接続され住宅内の各生活空間に設置された情報端末で、ネットワークを通じて送られてくる情報の中から、その住宅の地域、生活空間に密着した広告宣伝情報を簡易かつ選択的に閲覧できる広告宣伝配信システムを提供する。【解決手段】ホームサーバ１には、住宅が属する地域コード１２が登録され、かつ表示操作機能を備えた情報端末２には、その情報端末２が設置される住宅内の生活空間コード１３が割付けられ、ホームサーバ１は、少なくともサービスサーバ４から登録された地域コード１２に一致した地域コードｃ１が付加された広告宣伝情報１０を受けたときには、その広告宣伝情報１０に自らの管理する情報端末の生活空間コードｃ３を付加して、屋内ネットワークに送出させるようにしている。【選択図】図１
2007122217.tif 000002
【特許請求の範囲】
【請求項１】
有線または無線でネットワークに接続され、かつ住宅内の設備機器、表示操作機能を有した情報端末とは屋内ネットワークを介して接続されたホームサーバを用いて、ネットワーク上に設置されたサービスサーバから配信される広告宣伝情報を配信するシステムであって、
上記ホームサーバには、住宅が属する地域コードが登録され、かつ上記表示操作機能を備えた情報端末には、その情報端末が設置される住宅内の生活空間コードが割付けられ、
上記ホームサーバは、少なくとも上記サービスサーバから上記登録された地域コードに一致した地域コードが付加された広告宣伝情報を受けたときには、その広告宣伝情報に自らの管理する情報端末の生活空間コードを付加して、上記屋内ネットワークに送出するようにした広告宣伝配信システム。
【請求項２】
請求項１において、
上記ホームサーバは、広告宣伝情報の種別を選択させる操作画面を保存しており、上記表示操作機能を有した情報端末では、この操作画面を呼び出して、上記ホームサーバに対して、配信を受ける広告宣伝情報の種別を選択付加できるようにしている広告宣伝配信システム。
【請求項３】
請求項１において、
上記ホームサーバは、上記表示操作機能を有した情報端末を定期的に監視しており、該情報端末から要求信号を受け付けると、その要求信号を上記サービスサーバに返信して、そこから更新された広告宣伝情報を受け取るようにしている広告宣伝配信システム。
【請求項４】
請求項１において、
上記表示操作機能を有した情報端末には、ユーザの個人識別情報を登録する手段を設けており、登録したユーザの個人認証がなされたときには、上記ホームサーバは、そのユーザに対して、ユーザの属性情報や、ユーザが好みなどに応じて予め選択されている最適な種別の広告宣伝情報を配信するようにしている広告宣伝配信システム。
【請求項５】
請求項１〜４のいずれかにおいて、
上記ホームサーバは、住宅内に電源を供給する配電盤に組み付けられている、広告宣伝配信システム。
【請求項６】
請求項１〜５において、
上記サービスサーバは、上記ホームサーバに配信した広告宣伝情報に対して、閲覧の応答があった場合には、閲覧された広告宣伝主に課金を行うようにしている広告宣伝配信システム。
【発明の詳細な説明】
【技術分野】
【０００１】
本発明は、ネットワークを通じて、地域に密着し、かつ生活空間に対応した広告宣伝情報を配信するシステムに関するものである。
【背景技術】
【０００２】
近時、ニュース、天気予報、交通情報、地図情報などの各種の生活に密着した情報を、インターネットを通じて入手できるようになってきている。このような情報は、それぞれの情報を専門的に扱う情報サイトや、全ての情報を取り扱うポータルサイトなどの情報サイトが、ユーザの要求に応じて配信している。
そのような情報サイトが提供する各種のページには、上記種々の情報が掲載されているとともに、広告バナーなどの多くの広告宣伝情報も掲載されており、サイト運営者は、そのような広告の掲載料を収入源としている。
【０００３】
ところが、それらの広告宣伝情報は付属的な情報で、それらを掲載するページの主たる情報と直接的に関連するものとは限らず、むしろ無関係のものも多く、そのためユーザには閲覧されないことが多く、そのような広告を全く必要としないユーザにとっては、そのような広告は画面を見づらくするだけの目障りな存在でしかない。
【０００４】
このような問題を解消する方法として、ユーザごとに必要とする情報のみが表示されるようにする方法が種々、提案されている。
【０００５】
次の文献１には、ユーザに地域、情報種別を選択させて、選択した地域、情報種別に係る情報や、その情報に関連したバナー広告などの地域生活情報を配信するシステムが開示されている。また、文献２には、ＧＰＳ等の位置情報取得手段によってユーザ端末の位置情報を取得して、その位置に関する地域情報を配信するウェブシステムが開示されている。
これらのシステムにより、ユーザは、そのユーザにとって必要のない地域や種別に関する情報が排除された無駄のない情報ページを閲覧できるようになっている。
【特許文献１】特開２００１−２８２８２２号公報
【特許文献２】特開２００２−１２３５４０号公報
【発明の開示】
【発明が解決しようとする課題】
【０００６】
しかしながら、文献１の技術では、ユーザによる地域と情報種別の選択操作が必要であり、そもそも特定の地域、特定の種別しか必要としないユーザにとっては、そのような選択操作を毎回行うことがきわめて面倒である。
また、文献２の技術は携帯端末を対象とし、ＧＰＳ等により自動的に地域情報が選択されるものであるが、住戸に固定された情報端末の場合、その端末を他の地域に移動させない限り地域は一定であるため、わざわざ位置情報取得手段を利用して地域情報を選別することは効率的ではない。
【０００７】
また一方、近年、家庭の各住戸内の家電製品や照明器具、表示操作機能を有した機器などの生活設備機器と、インターネットとを接続させるホームサーバを住宅内に設置し、このホームサーバによって、生活空間に設置される生活設備機器の状況を常時監視して、変化があれば、インターネットを通じて、特定のサービスサーバに特定個別情報として適宜送信し、これに対して外部のサービスサーバから配信されてくる商品やサービスについてのタイムリーな広告宣伝を含む情報を表示画面に更新させて表示するという付加サービスが提供できる屋内ネットワークシステムが提案されている。
なお、この屋内ネットワークシステムは、ホームサーバや生活設備機器に、インターフェースとして、組み込み型マイクロインターネット接続技術を利用して開発されたマイクロデバイスを内蔵させれば容易に実現することができ、インターネットで使用される通信プロトコルを使用しての双方向の情報伝送が可能となる。
【０００８】
このように、家庭内においては、家電製品や照明器具、表示操作機能を有した機器などの生活設備機器が情報端末となり得、そのような情報端末は１人に１台という位置付けに加え、各室に少なくとも１台、あるいは生活空間ごとに少なくとも１台の情報端末を設置するネットワーク環境となってきている。
【０００９】
したがって、ホームサーバを設置した家庭において、サービスサーバから配信される情報を情報端末で閲覧する場合、利便性を追求するのであれば、上記文献技術のような特定地域に絞り込んで表示するだけでは不十分であり、さらに進んで、それぞれの端末が設置される生活空間に合致した情報が自動的にあるいは選択的に選別され、簡易に閲覧できるようにすることが望まれる。
【００１０】
本発明は、このような事情を考慮して提案されたもので、その目的は、ホームサーバに接続され住宅内の各生活空間に設置された情報端末で、ネットワークを通じて送られてくる情報の中から、その住宅の地域、生活空間に密着した広告宣伝情報を簡易かつ選択的に閲覧できる広告宣伝配信システムを提供することにある。
【課題を解決するための手段】
【００１１】
上記目的を達成するために、請求項１に記載の広告宣伝配信システムは、有線または無線でネットワークに接続され、かつ住宅内の設備機器、表示操作機能を有した情報端末とは屋内ネットワークを介して接続されたホームサーバを用いて、ネットワーク上に設置されたサービスサーバから配信される広告宣伝情報を配信するシステムであって、ホームサーバには、住宅が属する地域コードが登録され、かつ表示操作機能を備えた情報端末には、その情報端末が設置される住宅内の生活空間コードが割付けられ、ホームサーバは、少なくとも上記サービスサーバから登録された地域コードに一致した地域コードが付加された広告宣伝情報を受けたときには、その広告宣伝情報に自らの管理する情報端末の生活空間コードを付加して、屋内ネットワークに送出するようにしている。
ここで、情報端末の生活空間コードを付加するとは、ホームサーバが広告宣伝情報のデータに生活空間コードを付与するという形式的な処理だけを意味するのではなく、ホームサーバが管理している情報端末がどの生活空間に置かれているかを判断して、送信されてきた広告宣伝情報を送出すべき情報端末に対応付けるという意味も含んでいる。
【００１２】
請求項２では、ホームサーバは、広告宣伝情報の種別を選択させる操作画面を保存しており、表示操作機能を有した情報端末では、この操作画面を呼び出して、ホームサーバに対して、配信を受ける広告宣伝情報の種別を選択付加できるようにしている。
【００１３】
請求項３では、ホームサーバは、表示操作機能を有した情報端末を定期的に監視しており、該情報端末から要求信号を受け付けると、その要求信号を上記サービスサーバに返信して、そこから更新された広告宣伝情報を受け取るようにしている。
【００１４】
請求項４では、表示操作機能を有した情報端末には、ユーザの個人識別情報を登録する手段を設けており、登録したユーザの個人認証がなされたときには、ホームサーバは、そのユーザに対して、ユーザの属性情報や、ユーザの好みなどに応じてあらかじめ選択されている最適な種別の広告宣伝情報を配信するようにしている。
【００１５】
請求項５では、ホームサーバが住宅内に電源を供給する配電盤に組み付けられていることを特徴としている。
【００１６】
請求項６では、サービスサーバは、ホームサーバに配信した広告宣伝情報に対して、閲覧の応答があった場合には、閲覧された広告宣伝主に課金を行うようにしている。
【発明の効果】
【００１７】
請求項１に記載の広告宣伝配信システムによれば、ホームサーバはサービスサーバから地域コードの付加された広告宣伝情報を受けたときには、その広告宣伝情報に自らの管理する情報端末の生活空間コードを付加して、屋内ネットワークに送出するようにしているため、住宅内ではそれぞれ情報端末を通じて、その住宅の地域、生活空間に密着した広告宣伝情報を簡易に閲覧することができる。サービスサーバにとっても、ホームサーバごとに最適な広告宣伝情報を選択して送信する必要がないので簡易なソフトウェアで対応できる。
また、住宅側では不用な広告宣伝情報が除かれ、それぞれの地域、生活空間に応じた広告宣伝情報の配信が受けられるので、広告提供者側にとっても宣伝効果が大きい。
【００１８】
請求項２に記載の広告宣伝配信システムによれば、情報端末で、ホームサーバに保存している広告宣伝情報の種別を選択させる操作画面を呼び出して、ホームサーバに対して、配信を受ける広告宣伝情報の種別を選択付加できるようにしているので、その住宅の地域、生活空間に密着した広告宣伝情報を選択的に閲覧することができる。
【００１９】
請求項３に記載の広告宣伝配信システムによれば、情報端末からの要求信号によって、サービスサーバは広告宣伝情報を更新して配信しているため、各種の操作、設備の状態変化のつど、最新の広告宣伝情報の配信を受けることができる。
【００２０】
請求項４に記載の広告宣伝配信システムによれば、情報端末には、ユーザの個人識別情報を登録する手段を設けており、登録したユーザの個人認証がなされたときには、ホームサーバは、そのユーザに対して最適な広告宣伝情報を配信するようにしているので、情報端末ではそのユーザ個人に関する広告のみが表示でき、そのため、さらに宣伝効果は高められる。
【００２１】
請求項５では、ホームサーバが住宅内に電源を供給する配電盤に組み付けられているので、配電盤を有効に利用でき、かつサーバ設置のために場所を必要としないので便利である。
【００２２】
請求項６では、ホームサーバに配信した広告宣伝情報に対して、閲覧の応答があった場合には、閲覧された広告宣伝主に課金を行うようにしているので、サービスサーバの運営者、ホームサーバの家庭が広告収入を得ることができる。
【発明を実施するための最良の形態】
【００２３】
以下に、本発明の実施の形態について、添付図面とともに説明する。
【実施例１】
【００２４】
図１は、本発明の広告宣伝配信システムの一例を示したシステムブロック図である。
【００２５】
本広告宣伝配信システムは、インターネットなどのネットワークＮ１に接続されたホームサーバ１、１・・・を住宅内に設置し、そのホームサーバ１と、住宅内の設備機器３、表示操作機能を有した情報端末２とを信号線Ｌを介して接続して屋内ネットワークＮ２を構成し、ホームサーバ１が、ネットワークＮ１上に設置されたサービスサーバ４から配信される広告宣伝情報１０の中から、その住宅の地域に対応した情報を受信して、生活空間ごとに設置された各情報端末２に対応付け、その広告宣伝情報１０を屋内ネットワークＮ２に送出するようにしたものである。
【００２６】
ここで、情報端末２は、表示操作用の入力装置２ｄ、出力装置２ｆ（タッチパネルなど、後述する図３を参照）を備えており、その入、出力装置２ｄ、２ｆにより設備機器３の監視、制御、あるいはサービスサーバ４や他の情報サイト（不図示）からの情報の表示、情報サイトへの情報要求などができるようになっている。情報端末２には例えばホームサーバ１と無線通信が可能な携帯端末２１、各部屋に設置されたビューア２２などが含まれる。情報端末２の詳細構成については、図３で後述する。
【００２７】
また、設備機器３は、空調機器３１、家電製品３２、照明器具３３、健康器具３４、火災、防犯センサなどの防犯機器（不図示）などを含んでいる。設備機器３には表示操作パネルを有した、例えば操作端末（リモコン）付きのマッサージ機や操作端末付きのウォシュレットのなども含まれるため、以下では、そのような表示操作機能を有した機器を総称して情報端末２と呼ぶ。
【００２８】
ホームサーバ１は、ネットワークＮ１に接続されたサービスサーバ４や屋内の情報端末２、設備機器３との通信機能、種々のデータを保存できるメモリ機能を少なくとも備えている。入力装置、出力装置を有さず、コンパクトに構成され、電気制御装置１ｄ（図２参照）とともに配電盤に組み付けられた構成であってもよい。ホームサーバ１の詳細構成については、図２で後述する。
【００２９】
屋内ネットワークＮ２は、ホームサーバ１、情報端末２、設備機器３の各々に、組込み型インターネット接続用デバイス（不図示）を内蔵して、接続可能なように構成されている。組込み型インターネット接続用デバイスは、ネットワーク用の基本ソフトや各種ソフトウェアをコンパクトに搭載したミドルウェアであり、このデバイスを内蔵した各機器１〜３は、双方向に情報伝送が可能となっている。
【００３０】
ホームサーバ１は、情報端末２、設備機器３との双方向通信機能を利用して、情報端末２、設備機器３から設備監視データ（不図示）などの情報を収集し、インターネットＮ１を介してサービスサーバ４に送信する機能と、サービスサーバ４から送信されてくる情報を情報端末２、設備機器３に配信する機能を備えている。また、インターネットＮ１を介して、遠隔制御ができるようにしたものでもよい。
【００３１】
すなわち、ホームサーバ１は、設備機器３の監視、制御を行う遠隔制御監視装置の役割を果たすとともに、インターネットＮ１に接続されたウェブサイトとの接続によって外部情報を情報端末２に表示させる家庭内ポータルサイトとしての役割を果たしている。
【００３２】
本発明は、上記種々の機能のうち、サービスサーバ４から広告宣伝情報１０を受け付けて、屋内ネットワークＮ２に対して、広告宣伝情報１０に含まれる生活空間コードに応じた情報端末２に送出する機能に関するもので、その住宅の近隣地域の広告宣伝情報１０を選択的に受信し、屋内ネットワークＮ２に送り出し、各情報端末２には、それが設置された生活空間に最適な広告宣伝情報１０が配信されるようにしている。
なお、広告宣伝情報１０には生活空間コードを含めずに、広告種別のみを決定しておき、ホームサーバ１で広告種別にもとづいて、生活空間コードつまり送出すべき情報端末２を決定するようにしてもよい。
すなわち、本発明システムは、サービスサーバ４から送られてくる広告宣伝情報１０の内容にもとづいて、送出先である情報端末が決定できるものであればよい。
【００３３】
サービスサーバ４には、あらかじめ広告主から集めた広告宣伝情報がデータベース４ａ化されている。もちろん、サービスサーバ４とは別構成のデータベースサーバをネットワークＮ１に設置してもよい。
【００３４】
そしてサービスサーバ４からホームサーバ１に配信される個々の広告宣伝情報データ１０には、例えば郵便番号などの所定の地域コードｃ１（図４参照）が付与されており、ホームサーバ１では、サーバ１内に登録している地域コード１２（図２参照）と一致した広告宣伝情報１０を抽出して、屋内ネットワークＮ２に送出する。
【００３５】
次に示す図２、図３により、それぞれホームサーバ１、情報端末２の要部構成について説明する。
【００３６】
図２は、ホームサーバ１の要部構成を示したブロック図である。
ホームサーバ１は、インターネットＮ１、屋内ネットワークＮ２と接続するためのネットワーク制御装置１ａ、双方向で通信されるデータを処理するデータ制御装置１ｂ、メモリ１ｃを備え、それらとともに電気供給が行える電気制御装置１ｄを併設し、配電盤として構成されているが、ＬＡＮ対応型のホームコントローラに、上記した機能を組み込んでも構成できる。
本例のホームサーバ１は、配電盤に組み付けられた簡易な構成のものであるが、ホームサーバ１自体に入力装置、センサ、出力装置などを付加し、配電盤とは切り離した単独のサーバ構成であってもよい。
【００３７】
またメモリ１ｃには、サービスサーバ４から送信され抽出した広告宣伝情報データ１０が保存され、また、その住宅の地域に対応した広告宣伝情報を選別するための地域コード１２が登録されている。メモリ１ｃにはさらに、ホームサーバ１に接続された各情報端末２に対応した生活空間コードがコード対応テーブル１３として割付登録されている。なお、地域コード１２は、その住宅地域のもの１つだけではなく、常時監視しておきたい地方など複数の地域コードを登録できるものであってもよい。
【００３８】
図３は、情報端末２の要部構成を示したブロック図である。
情報端末２は、ネットワーク制御装置２ａ、双方向で通信されるデータを処理するデータ制御装置２ｂ、メモリ２ｃ、キーボードやマイクなどの入力装置２ｄ、生体認証、音声認識が可能な各種センサ２ｅ、映像データ、音声データなどを出力する出力装置２ｆを備えている。入力装置２ｄ、出力装置２ｆは、表示操作の両方が可能なタッチパネルであってもよい。
また、メモリ２ｃには、ホームサーバ１から送られてくる広告宣伝情報データ１０が保存される。
【００３９】
ついで、広告宣伝情報の配信機能、処理について説明する。
【００４０】
図４は、本発明システムの配信機能、処理を概念的に示した図である。
ホームサーバ１は、サービスサーバ４から地域コードｃ１と広告種別ｃ２と生活空間コードｃ３が付加された広告宣伝情報１０を受信し、その中から登録されている地域コード１２と一致するもののみを抽出し、それらの情報に含まれる広告種別ｃ２および生活空間コードｃ３をもとにして、該当する広告宣伝情報１０のみをメモリ１ｃに保存し、コード対応テーブル１３から対応する情報端末２を選択し、情報端末２からの要求等があったときに、生活空間コードｃ３が付加された広告宣伝情報１０を情報端末２に送出する。
【００４１】
広告種別ｃ２は、その広告の広告主または商品の種別などをコード化したもので、例えば、電気店の広告であれば「１」、スーパーであれば「２」、雑貨店であれば「３」などのように広告を分類したものである。
【００４２】
また、生活空間コードｃ３は、情報端末２に対応して規定したコードで、台所に設置される情報端末２であれば「１」、リビングであれば「２」などである。
【００４３】
コード対応テーブル１３は、広告種別ｃ２および生活空間コードｃ３を情報端末２に対応付けたテーブルである。または、生活空間コードｃ３のみを情報端末２に対応付けたものでもよい。
【００４４】
例えば、コード対応テーブル１３に、情報端末２に表示させたい情報として、広告種別ｃ２が「スーパー」、生活空間コードｃ３が「台所」と登録しておけば、その住宅の地域コードが付与されたスーパーの広告宣伝情報１０は、台所に設置された情報端末２で閲覧することができる。
【００４５】
ようするに、ホームサーバ１では、各情報端末２にどのような属性の広告を送信すればよいかが決定できればよい。また、情報端末２から広告種別を操作によって広告種別や生活空間コードを決定し、ホームサーバ１が該当の広告を取り出して返信するようにしてもよい。
【００４６】
また、サービスサーバ４の広告宣伝情報１０において、地域コードｃ１、広告種別ｃ２、生活空間コードｃ３のそれぞれのコードに、「全コード受入」あるいは「全コード拒否」に対応するコードを設定しておけば、広告宣伝情報１０の内容に関わらず、情報端末２にランダムに広告を表示させたり、不要なジャンルの広告表示を拒否することができる。
【００４７】
また、地域コードｃ１、広告種別ｃ２、生活空間コードｃ３は、情報端末２からホームサーバ１にアクセスして、遠隔操作によって登録してもよい。
【００４８】
さらに、広告宣伝情１０は、サービスサーバ４から、地域コードｃ１、広告種別ｃ２、生活空間コードｃ３が予め付加されて送られることが、その後のソフト処理を簡易化するために望ましいが、サービスサーバ４側あるいはホームサーバ１側で広告宣伝情報に含まれる文字などから判別してもよい。
【００４９】
図５は、ホームサーバ１の広告宣伝情報の受信時の動作の一例をフローチャートで示したものである。
この動作例は、コード対応テーブル１３を使用したものを示し、ホームサーバ１は、広告を受信したときには、地域コード、広告種別および生活空間コードにより抽出し、抽出した広告宣伝情報１０をメモリ１ｃに保存する（ステップ１０１〜１０３）。
【００５０】
以上のように、ホームサーバ１が多数の広告宣伝情報１０から、地域コードｃ１、広告種別ｃ２、生活空間コードｃ３を用いて情報を絞り込んでいるので、各情報端末２は、その生活空間で必要とする広告宣伝情報１０のみを閲覧することができる。
【００５１】
また、サービスサーバ４では、広告宣伝情報１０に地域コードｃ１、広告種別ｃ２および生活空間コードｃ３を付加しておけばよく、ホームサーバ１ごとに最適な広告宣伝情報１０を選択して送信する必要がないため、簡易なソフトウェアで対応できる。住宅側では不用な広告宣伝情報が除かれ、その生活空間に合致した情報のみが得られるため、宣伝効果はきわめて大きく、広告主にとっても利点がある。
【００５２】
さらに、ホームサーバ１に登録された地域コード１２を、情報端末２などを操作して追加、変更できるようにすれば、ホームサーバ１ごと他の土地に移動しても、地域コードさえ変更すれば、移動先の土地に対応した広告宣伝情報を受け取ることができる。また、地域コード１２を追加登録すれば、例えば遠方の不動産チラシなども入手でき、住宅探しなどにも役立つ。
【００５３】
次に、広告宣伝情報の要求、表示タイミングおよびその動作について説明する。
以下に示すように、要求、表示タイミングは種々のものが考えられる。
【００５４】
（１）情報端末２の操作要求による場合
ホームサーバ１が、情報端末２が広告種別を選択できるような操作画面を保存しておき、情報端末２はその画面を呼び出して、配信を受ける広告宣伝情報１０の広告種別を選択し、それをホームサーバ１に要求する。
ホームサーバ１は、その要求にもとづいて該当の広告種別の広告宣伝情報１０をメモリ１ｃより取り出して情報端末２に返信する。あるいは、その操作要求のタイミングにて、ホームサーバ１がサービスサーバ４に配信要求を送信し、返信されてきた中から、該当の広告種別の広告宣伝情報１０を配信するようにしてもよい。
例えば、ホームサーバ１で操作画面をＨＴＭＬ、ＸＨＴＭＬ等で登録しておき、情報端末２がウェブブラウザで、操作画面を操作できるようにしてもよい。
図６は、情報端末２がウェブブラウザを使用して表示することを想定した図で、操作画面による広告宣伝情報の表示の一例を示すものである。
情報端末２では、ブラウザで取り込んだ操作画面Ｐで要求操作をすると、ホームサーバ１は、ＨＴＭＬ、ＸＨＴＭＬ等で記述された該当の広告宣伝情報を返信する。情報端末２では、ブラウザが広告宣伝情報画面Ｃに切り換えて、その広告宣伝情報１０を表示する。
なお、広告宣伝情報１０は電子メールの形式で返信するようにしてもよい。また、広告バナーによる表示方式であってもよい。
【００５５】
（２）ホームサーバ１の情報端末２の動作監視による場合
ホームサーバ１は、屋内ネットワークＮ２を監視し、設備機器３を動作させたり、機器３の状態が変化したりしたときに、あるいは所定周期ごとに、サービスサーバ１に対し広告宣伝情報１０を要求し、サービスサーバ１から新たな広告宣伝情報を受信し、メモリ１ｃに保存しておく。そのとき広告宣伝情報１０を送出すべき情報端末２が立ち上がっていればそのとき、立ち上がっていなければ次に立ち上がったときに、新たな広告があることを通知して広告宣伝情報１０を送出する。
図７は、新たな広告宣伝情報が配信されたのち情報端末２が立ち上がった場合の表示の一例を示す図である。
情報端末２は、出力装置２ｆを立ち上げてホームサーバ１をアクセスして設備監視などの画面Ｍを表示させると、ホームサーバ１は、その情報端末２に対応した最新の広告宣伝情報１０があれば、その旨を通知する画面をさらに配信して情報端末２でポップアップ画面ＣＰとして表示させる。
情報端末２が、そのポップアップ画面ＣＰを選択操作すると、情報端末２に対応した広告宣伝情報画面Ｃが表示される。
設備機器３の変化による例としては、（ａ）電化製品の使用回数をカウントし、所定の回数に達したときに配信を要求すると、それに対して、その電化製品と同種の新商品の案内広告が配信される、（ｂ）トイレの便座に腰掛けたときに、トイレの芳香剤、トイレットペーパーなどトイレに関する広告宣伝情報が配信される、などがある。
【００５６】
また、サービスサーバ４からホームサーバ１への配信タイミングとしては、ホームサーバ１が定期的に要求するようにしてもよいし、サービスサーバ４が日次や臨時の処理としてホームサーバ１に配信するようにしてもよいし、上記のように情報端末２、設備機器３からの要求によって配信するようにしてもよい。
【００５７】
いずれの方法であっても、本発明システムは、ホームサーバ１は送られてくる広告宣伝情報１０のうち、地域コードｃ１、広告種別ｃ２および生活空間コードｃ３の合致したもののみを受け取り、各情報端末２に対して、該当する広告宣伝情報１０を送出するものである。
【００５８】
上記ホームサーバ１では、サービスサーバ４から送られてくる広告宣伝情報１０をメモリ１ｃに保存するようにしているが、情報端末２からの要求タイミングで情報の配信を受けるようなシステム構成の場合では、メモリ１ｃに保存することなく、必要とする情報端末２に対応した情報のみを取り出し、情報端末２に送出するようにしてもよい。
【００５９】
また、定期的に配信を受けるようなシステム構成の場合では、ホームサーバ１に広告宣伝情報１０を保存せず、屋内ネットワークＮ２に接続された他の広告データサーバ（不図示）に保存するようにし、情報端末２が必要なときにその広告データサーバから情報を受け取るようにしてもよい。
【００６０】
さらに、情報端末２では、図３でも示しているように、生体認証、音声認識などにより、その情報端末２を操作する者を認証しており、その個人ごとに対応付けた広告宣伝情報が表示されるように、個人コード（不図示）を広告宣伝情報に付加するようにしてもよい。なお、個人認証は、ＲＦＩＤタグ（非接触ＩＣタグ）を利用して行ってもよい。
この個人コードには、ユーザの個人識別データ、年代データ、またはユーザが興味のある分野を規定した個人嗜好データなどが含まれる。
ユーザ個人までも特定して広告宣伝情報が配信されるので、特定の人しか利用しない情報端末２では、その個人に関する広告のみが表示でき、さらに広告宣伝効果は高められる。
【００６１】
次に、広告宣伝情報の配信に伴う課金について説明する。
サービスサーバ４が広告宣伝情報１０を配信したのち、ホームサーバ１側で広告の閲覧を監視し、情報端末２から閲覧応答が返信され、その応答がホームサーバ１からサービスサーバ４に返信されてきたとき、サービスサーバ４は該当広告の広告主ごとに課金を行う。
このため、ホームサーバ１は配信した広告宣伝情報について、情報端末２から閲覧応答があったとき、その都度、あるいはそのような閲覧応答があったことを一定時間蓄積した後、サービスサーバ４に通知され、サービスサーバ４では、この通知にもとづいて閲覧された広告宣伝主に対して課金を行う。
課金による広告主からの広告料は、サービスサーバ４、ホームサーバ１に割り振るようにすれば、サービスサーバ４運営者、ホームサーバ１の家庭が広告収入を得ることができる。
【図面の簡単な説明】
【００６２】
【図１】本発明の広告宣伝配信システムのシステムブロック図である。
【図２】ホームサーバの要部構成の一例を示すブロック図である。
【図３】情報端末の要部構成の一例を示すブロック図である。
【図４】本発明の広告宣伝配信システムの配信機能、処理を概念的に示した図である。
【図５】ホームサーバの広告宣伝情報の受信時動作の一例を示したフローチャートである。
【図６】広告宣伝情報の表示の一例を示す図である。
【図７】広告宣伝情報の表示の他例を示す図である。
【符号の説明】
【００６３】
１      ホームサーバ
２      情報端末
３      設備機器
４      センターサーバ
Ｎ１      ネットワーク（インターネット）
Ｎ２      屋内ネットワーク
１０      広告宣伝情報
ｃ１      地域コード
ｃ２      広告種別
ｃ３      生活空間コード
１２      ホームサーバに登録されている地域コード
１３      コード対応テーブル
【図１】
2007122217.tif 000003
【図２】
2007122217.tif 000004
【図３】
2007122217.tif 000005
【図４】
2007122217.tif 000006
【図５】
2007122217.tif 000007
【図６】
2007122217.tif 000008
【図７】
2007122217.tif 000009
【手続補正書】
【提出日】平成17年10月26日(2005.10.26)
【手続補正１】
【補正対象書類名】図面
【補正対象項目名】図５
【補正方法】変更
【補正の内容】
【図５】
2007122217.tif 000010